(57)【要約】【課題】ガラス玉により口栓部を密封することのできる密封容器において、開栓具を備え、かつ誤開栓、あるいは不正開栓を防止することができ、ＴＥ性を備えた、キャップを提供することを課題とする。【解決手段】容器の口栓部全体を覆う円筒部を有しており、円筒部に連続して、開栓具およびＴＥバンドが一体に成型されており、開栓具は、上方から圧力を加える押圧部と、ガラス玉に押圧を直接伝える円筒状の押栓部とから構成され、ＴＥバンドはキャップの円筒部の下部に設けられており、ＴＥバンドの凸部は、容器の口栓部の外周に沿って設けられた凹部に嵌合可能であって、キャップを上下方向に緩むことなく容器口栓部に固定することができ、ＴＥバンドは、容器の口栓部の外周の凹部に沿ってキャップから分離、除去可能であることを特徴とする、キャップである。【選択図】図１
2018070256.tif 000002
【特許請求の範囲】
【請求項１】
容器の口栓部と、口栓部の下方に外周に沿って設けられた凹部を有し、口栓部を容器内側からガラス玉により密封することができる、密封容器のキャップであって、
容器の口栓部全体を覆う円筒部を有しており、
該円筒部に連続して、開栓具およびＴＥバンドが一体に成型されており、
該開栓具は、円筒部天面から圧力を加える押圧部と、ガラス玉に押圧を直接伝える、口栓部の開口部に挿入可能な直径を有する円筒状の押栓部とから構成され、
該ＴＥバンドは、円筒部の円周方向に沿って周状に設けられた脆弱部を介して、キャップの円筒部の下部に設けられており、
該ＴＥバンドは円筒部の円周方向に沿った凸部を有しており、容器の口栓部の外周に沿って設けられた凹部に嵌合可能で、キャップを上下方向に緩むことなく容器口栓部に固定することができ、
該ＴＥバンドは、容器の口栓部の外周の凹部に沿ってキャップから分離、除去可能であることを特徴とする、密封容器のキャップ。
【請求項２】
前記円筒状の押栓部の周囲には、開栓具の下降を防止するストッパーリングが設けてあることを特徴とする、請求項１に記載の密封容器のキャップ。
【発明の詳細な説明】
【技術分野】
【０００１】
本発明は、瓶の栓に関するものである。とくに密封容器向けに考案された、開栓具を一体に設けた密封容器のキャップに関するものである。
【背景技術】
【０００２】
今日、飲料は、様々な味、香りのものが商品化され、容器に入れられて販売されている。その中でも清涼飲料と呼ばれるタイプがあり、とくに炭酸飲料と呼ばれるものは、清涼な風味のほかに瓶の形状もあいまって清涼感を感じさせ、暑い季節にはとくに親しまれている。
【０００３】
日本独特の清涼飲料として、古くからラムネと呼ばれる、炭酸入りの飲料があり、コッドビンと呼ばれる、くびれを持ったビンの口をビー玉等のガラス玉により栓をした容器が特徴となっている。中身を飲む際にはビン口を密封しているガラス玉をビン内に押し込んで、内圧を逃がすことで開栓する。
【０００４】
長らく、開栓に際して木製やプラスチック製の押し込み用具が、販売の店頭に置かれていたが、近年は開栓用の器具をキャップ等に添付または一体化した状態で販売することが主流となっている。
【０００５】
ただし、口栓部への開栓用の器具の固定とともに、誤ってあるいは故意に開栓具を押すことによる、誤開栓、あるいは不正開栓を防止する必要もあり、開栓具と口栓部の間にリング状のストッパーを挟んで、これらをセットした後にシュリンクフィルムで口栓部を覆い、開栓具とストッパーを固定するとともに、ＴＥ（Ｔａｍｐｅｒ  ｅｖｉｄｅｎｃｅ）性といわれる、開栓の痕跡を可視化することも行なわれている。
【０００６】
実際の製造ラインにおいては、開栓具およびリング状のストッパーをセットして後、シュリンクフィルムを装着し、シュリンクトンネルに通して、ビンおよび開栓具を固定するとともに、ＴＥ性を確保しているが、製造工程が３工程となり、部材も少なくとも２種類を必要とすることから、工程の簡素化、部材の１パーツ化が求められている。
【０００７】
シュリンクフィルムをなくす方法として、シュリンクフィルムの代わりに、キャップのすそが口栓部全体を覆い、口栓部にロックされて、誤開栓、あるいは不正開栓を防止しようとするキャップも考案されているが、天面を強く押し付ける場合には、なお開栓事故のおそれがあって、充分とはいえない状況である。
【先行技術文献】
【特許文献】
【０００８】
【特許文献１】特開２００３−２３５３号公報
【発明の概要】
【発明が解決しようとする課題】
【０００９】
本発明はかかる状況に鑑みてなされたものであり、ガラス玉により口栓部を密封することのできる炭酸飲料等向け密封容器において、開栓具を備え、かつ誤開栓、あるいは不正開栓を防止することができるテンパーエビデンス性（以下ＴＥ性と略す）を備えた、密封容器のキャップを提供することを課題とする。
【課題を解決するための手段】
【００１０】
上記の課題を解決するための手段として、請求項１に記載の発明は、容器の口栓部と、口栓部の下方に外周に沿って設けられた凹部を有し、口栓部を容器内側からガラス玉により密封することができる、密封容器のキャップであって、
容器の口栓部全体を覆う円筒部を有しており、
該円筒部に連続して、開栓具およびＴＥバンドが一体に成型されており、
該開栓具は、円筒部天面から圧力を加える押圧部と、ガラス玉に押圧を直接伝える、口栓部の開口部に挿入可能な直径を有する円筒状の押栓部とから構成され、
該ＴＥバンドは、円筒部の円周方向に沿って周状に設けられた脆弱部を介して、キャップの円筒部の下部に設けられており、
該ＴＥバンドは円筒部の円周方向に沿った凸部を有しており、容器の口栓部の外周に沿って設けられた凹部に嵌合可能で、キャップを上下方向に緩むことなく容器口栓部に固定することができ、
該ＴＥバンドは、容器の口栓部の外周の凹部に沿ってキャップから分離、除去可能であることを特徴とする、密封容器のキャップである。
【００１１】
また、請求項２に記載の発明は、前記円筒状の押栓部の周囲には、開栓具の下降を防止するストッパーリングが設けてあることを特徴とする、請求項１に記載の密封容器のキャップである。
【発明の効果】
【００１２】
本発明によれば、ガラス玉により口栓部を密封することのできる密封容器において、開栓具を備え、かつ誤開栓、あるいは不正開栓を防止することができるＴＥ性を備えた、密封容器のキャップを提供することが可能である。
【００１３】
とくに請求項２の発明によれば、ガラス玉により口栓部を密封することのできる密封容器において、開栓具を備え、かつ誤開栓、あるいは不正開栓をより確実に防止することができるＴＥ性を備えた、密封容器のキャップを提供することが可能である。
【図面の簡単な説明】
【００１４】
【図１】図１は、本発明に係る密封容器のキャップの、一実施態様を説明するための、斜視断面模式図である。
【図２】図２は、本発明に係る密封容器のキャップの、一実施態様について、容器本体への装着状況を説明するための、部分断面模式図である。
【図３】図３は、本発明に係る密封容器のキャップの、一実施態様について、その開栓の第一段階の状況を説明するための、部分断面模式図である。
【図４】図４は、本発明に係る密封容器のキャップの、一実施態様について、その開栓の状況を説明するための部分断面模式図である。
【図５】図５は、本発明に係る密封容器のキャップの、他の実施態様を説明するための断面模式図である。
【図６】図６は、本発明に係る密封容器のキャップの、他の実施態様について、容器本体への装着状況を説明するための、部分断面模式図である。
【図７】図７は、本発明に係る密封容器のキャップの、他の実施態様について、その開栓の状況を説明するための、部分断面模式図である。
【図８】図８は本発明に係る密封容器のキャップを、開栓後に取り除いた状態を説明するための、部分断面模式図である。
【発明を実施するための形態】
【００１５】
以下、本発明を図１〜図８を参照しながら、更に詳しい説明を加える。ただし本発明は、ここに示す例にのみ限定されるものではない。本発明は、請求項によって限定されるものである。
【００１６】
図１は、本発明に係る密封容器のキャップの、一実施態様を説明するための、斜視断面模式図である。
【００１７】
本発明に係るキャップ（１００）は、密封容器の口栓部全体を覆う円筒部（８）を中心として構成されている。すなわち、円筒部（８）の上部内側に連続して、開栓具（３）が設けられている。
【００１８】
また、円筒部（８）下部にはＴＥバンド（４）が一体に成型されて設けられており、開栓具（３）は、上方から圧力を加える押圧部（１）と、ガラス玉に押圧を直接伝える円筒状の押栓部（２）とから構成される。
【００１９】
本発明において、ＴＥバンド（４）は、密封容器の開栓において、まずはじめに分離、除去されて開栓を可能にすることができるものであって、分離、除去が容器外側から可視であることから、開栓の履歴を容易に可視化することが可能であり、ＴＥ性を有するものである。
【００２０】
円筒状の押栓部（２）の円筒は、密封容器の口栓部にある開口部の内径より小さく、容器口栓部で容器を密封しているガラス玉に直接触しているか、あるいは押圧部（１）からの押圧によって接触可能な位置にあって、開栓に際しては、押圧部（１）からの力をガラス玉に直接伝えて、ガラス玉を押し下げることによって、密封容器を開栓することができる。
【００２１】
本発明において、キャップ（１００）は開栓具（３）およびＴＥバンド（４）が一体に成型されており、ＴＥバンド（４）はキャップ（１００）の円筒部（８）の下部に、容器の口栓部の外周に設けられた凹部に沿うよう設けられて、キャップ（１００）が上下方向に緩むことなく固定することができる。固定は、ＴＥバンドの凸部（７）を、容器の口栓部の凹部に嵌合させて行なうことができる。
【００２２】
嵌合は、キャップ（１００）を、たとえば加圧による打栓方式で密封容器の口栓部に固定する方式で行なうことができる。
【００２３】
キャップ（１００）が、密封容器の口栓部を覆う形で固定されることにより、従来口栓部の異物や汚染防止を目的とした被覆に、シュリンクフィルムを被せて加熱していた工程が不要となり、材料に係るコストの低減、および工程の短縮に効果があり、コストダウンの利点も生まれる。
【００２４】
ＴＥバンド（４）は、ＴＥバンド（４）の脆弱部（５）を介してキャップ（１００）の円筒部（８）下部に接続している。またＴＥバンド（４）には開栓つまみ（６）が設けてあり、開栓つまみ（６）をきっかけにして、脆弱部（５）に沿って、キャップ（１００）から分離、除去可能である。ＴＥバンド（４）の分離、除去は、手指によってＴＥバンド（４）を円周方向に引っ張って行なうことができる。
【００２５】
密封容器の開栓に当っては、ＴＥバンド（４）をキャップ（１００）から分離、除去することが必要であって、ＴＥ性、すなわち開栓の履歴を可視化することが可能となり、その結果、密封容器の誤開栓、あるいは不正開栓を防止することができる。
【００２６】
このことによってもまた、ＴＥ性を付与するために、口栓部の被覆にシュリンクフィルムを被せて、加熱していた従来の工程が不要となり、材料のコストや工程の短縮に効果があり、コストダウンの利点が生まれる。
【００２７】
図２は、本発明に係る密封容器のキャップの、一実施態様について、容器本体への装着状況を説明するための、部分断面模式図である。
【００２８】
キャップ（１００）は、密封容器（１１）の容器口栓部（１２）を覆い被せるように配置されて固定される。固定は、たとえば口栓部の凹部（９）にＴＥバンドの凸部（７）を嵌合させて固定することが可能である。
【００２９】
嵌合は、たとえばキャップ（１００）上方から加圧して打栓する方法をとることができる。固定によって、キャップ（１００）は容器口栓部（１２）に固定されて、上下方向および横方向の動きが封じられる。
【００３０】
またこの固定によって上方から押圧が加えられた際にも、その力を直接ガラス玉（１０）に伝えることがないため、密封容器（１１）の誤開栓、あるいは不正開栓を防止することができる。
【００３１】
キャップ（１００）内側には押圧部（１）に接続して、押栓部（２）が成型によって一体に設けられており、押栓部（２）は容器口栓部（１２）に配置されるガラス玉（１０）を押して開栓することが可能な位置に設けられている。押栓部（２）は、ガラス玉を押し下げることができる範囲において、中空の円筒であってもよく、円柱であってもかまわない。
【００３２】
容器口栓部（１２）は、密封容器（１１）の上部先端の部分であって、密封容器（１１）がガラス製の容器の場合には、本体と一体となったガラス製であってもよく、またはプラスチック成型品を容器本体に取り付けて、容器口栓部（１２）を構成することができる。この口栓部の取り付けは、たとえば螺合方式を用いて取り付けることが可能である。
【００３３】
密封容器（１１）の密封は、容器口栓部（１２）に配置される、ガラス玉（１０）と容器口栓部の開口部（１３）が接触して行なわれるのであり、ガラス玉（１０）は炭酸ガスによる内部圧力によって開口部（１３）に押し付けられて容器が密封される。
【００３４】
ガラス玉（１０）によって、密封容器（１１）の密封が行なわれ、口栓部（１２）にキャップ（１００）が固定された状態において、押栓部（２）は、ガラス玉（１０）に接触、押圧しないよう成型される。
【００３５】
これによって、たとえば上方から押圧部（１）に対して外力が加わった場合においても、その外力を口栓部（１２）に固定されたキャップ（１００）全体で支えることができるため、ガラス玉（１０）に対して外力が直接伝播することがなく、密封容器（１１）の誤開栓、あるいは不正開栓を防止することができる。
【００３６】
また、ガラス玉（１０）は、口栓部（１２）の開口部（１３）より直径が大きいために密封容器（１１）の外に出ることはなく、また胴部のくびれ（１４）を通過することはできないために、口栓部（１２）の内側と胴部のくびれ（１４）との間で可動ではあるが、密封容器（１１）の底にまで落ちることはない。
開栓は、容器口栓部（１２）のガラス玉（１０）を上方から押して、容器口栓部（１２）とガラス玉（１０）の内部圧力による密着を解き、内圧の炭酸ガスを密封容器（１１）外側に排出することによって行なわれる。
【００３７】
図３は、本発明に係る密封容器のキャップの、一実施態様について、その開栓の第一段階の状況を説明するための、部分断面模式図である。
【００３８】
開栓はまず、キャップ（１００）下部に設けられた、ＴＥバンド（４）を分離、除去することによって始められる。分離、除去は、ＴＥバンド（４）とキャップ（１００）の円筒部の間に設けられた、脆弱部（５）を円周方向に破壊することによって行なうことができる。
【００３９】
ＴＥバンド（４）、および脆弱部（５）には、図１に示す開栓つまみ（６）が設けてあり、これをきっかけにして手指を用いて、ＴＥバンド（４）を円周方向に引っ張って、分離、除去を行なうことができる。この分離、除去は、図３において、矢印（Ａ）で示される。
【００４０】
またこのＴＥバンド（４）の分離、除去は、密封容器（１１）の外側から、可視であって、誤開栓、あるいは不正開栓の防止を目的として、かつＴＥ性を備えた、密封容器のキャップ（１００）を提供することを可能にする。
【００４１】
脆弱部（５）は、キャップ（１００）の円筒部（８）の一部として、キャップ（１００）の成型時に設けられ、たとえば、ハーフカット等により形成される薄肉部としたり、あるいは貫通孔を連続して設けたりすることで、形成することができる。
【００４２】
ＴＥバンド（４）の分離、除去によって、キャップ（１００）の円筒部（８）は、固定が解かれて、上下の動きが可能になる。
【００４３】
図４は、本発明に係る密封容器のキャップの、一実施態様について、その開栓の状況を説明するための部分断面模式図である。
【００４４】
ＴＥバンド（４）の分離、除去によって、キャップ（１００）の円筒部（８）は、固定が解かれて、上下の動きが可能になる。
【００４５】
さらにキャップ（１００）の押圧部（１）に対して、図中矢印（Ｂ）に示すように上方向から圧力をかけ、押し下げることによって、ガラス玉（１０）に押栓部（２）を介して圧力が伝播して、ガラス玉（１０）は下方に押し下げられ、内圧の炭酸ガスが容器外部に排出されて、密封容器（１１）の密封が解かれる。
【００４６】
密封が解かれた密封容器（１１）内で、図中矢印（Ｃ）に示すようにガラス玉（１０）は落下して、密封容器（１１）の胴部のくびれ（１４）に達して止まる。胴部のくびれ（１４）の内部の間隙は、ガラス玉（１０）の直径より小さいためにガラス玉が密封容器（１１）の底にまで落下することはない。
【００４７】
この状態において、ガラス玉（１０）は胴部のくびれ（１４）と容器口栓部（１２）の空間で可動であるため、密封容器（１１）を傾けることによって、流路は確保され、内容物の炭酸飲料の取出しが可能となる。
【００４８】
密封容器（１１）が開栓されたのち、キャップ（１００）は、除去して口栓部（１２）及び開口部（１３）を露出させることができ、飲料用容器としての用途に供することができる。
【００４９】
このようにして本発明によれば、ガラス玉で口栓部を密封することのできる炭酸飲料等向け密封容器において、開栓具を備え、かつ誤開栓、あるいは不正開栓を防止することができるＴＥ性を備えた、キャップを提供することが可能である。
【００５０】
図５は、本発明に係る密封容器のキャップの、他の実施態様を説明するための断面模式図である。
【００５１】
本発明において、ガラス玉により口栓部を密封することのできる密封容器において、開栓具を備え、かつ誤開栓、あるいは不正開栓を防止することができるＴＥ性を備えた、密封容器のキャップは、図５に示す形状でも実現することが可能である。
【００５２】
ここに示す例では、円筒状の押栓部（２）は、キャップ（１００）の円筒部（８）天面の円の中心に設けられている。また、円筒状の押栓部（２）の周囲には、開栓具（３）の下降を防止するストッパーリング（１５）が、キャップ（１００）とともに一体に成型されて設けてある。
【００５３】
ここに示す例においても、キャップ（１００）は、容器の口栓部全体を覆う円筒部（８）を中心に構成されており、円筒部（８）に連続して、開栓具（３）およびＴＥバンド（４）が一体に成型されており、開栓具（３）は、円筒部（８）天面から圧力を加える押圧部（１）と、ガラス玉に押圧を直接伝える、口栓部の開口部に挿入可能な直径の、円筒状の押栓部（２）とから構成されている。
【００５４】
また、円筒状の押栓部（２）の周囲には、開栓具（３）の下降を防止するストッパーリング（１５）が、キャップと（１００）一体に成型されて設けられる。ストッパーリング（１５）は円筒状の押栓部（２）の周囲を丸く囲む形状で設けられる。
【００５５】
また、ストッパーリング（１５）は、キャップ（１００）の円筒部（８）とは、脆弱部（１６）を介して連続しており、ストッパーリング（１５）と円筒状の押栓部（２）とは、ストッパーリングの接続部（２１）を介して連続している。
【００５６】
脆弱部（１６）は、密封された密封容器に対し、キャップ（１００）を打栓等により装着するに際して、あらかじめ脆弱部（１６）を破断して、開栓具（３）及びストッパーリング（１５）を、キャップ（１００）の円筒部（８）の内側にセットした状態で装着することができる。
【００５７】
このようにセットおよび装着することによって、開栓具（３）はキャップ（１００）の円筒部（８）内側に収納された状態になると同時に、押圧部（１）と、キャップ（１００）の円筒部（８）の上部との高低差がなくなり、押圧部（１）は外力の影響を受けにくくなる。
【００５８】
また、図５に示す例において、キャップ（１００）はストッパーリング（１５）のほか、開栓具（３）およびＴＥバンド（４）が一体に成型されており、ＴＥバンド（４）はキャップ（１００）の円筒部（８）の下部に、容器の口栓部の凹部の外周に沿うよう設けられて、キャップ（１００）を上下方向に緩むことなく固定することができる。この固定によって、キャップ（１００）全体が、外力の影響を受けにくくなる。
【００５９】
図６は、本発明に係る密封容器のキャップの、他の実施態様について、容器本体への装着状況を説明するための、部分断面模式図である。
【００６０】
キャップ（１００）の容器口栓部（１２）への固定は、図２に示す例と同様に、ＴＥバンドの凸部（７）を、容器の口栓部の凹部（９）に嵌合させて行なうことができる。固定に先立って、ストッパーリング（１５）は、図５に示すストッパーリング（１５）下部に設けた、脆弱部（１６）を破断して、押圧部（１）および押栓部（２）を押し下げた状態でセットする。
【００６１】
押圧部（１）および押栓部（２）を押し下げた状態にすることによって、開栓具（３）は円筒部（８）内側に収納され、上方からの押圧部（１）への押圧に対して、キャップ（１００）の外周の円筒部（８）部分で支えることができ、誤開栓や不正な開栓を防止することが可能となる。
【００６２】
開栓具（３）自身もまた、押栓部（２）がストッパーリング（１５）と、押栓部とストッパーリングの接続部（２１）で繋がっており、ストッパーリング（１５）と開口部（１３）周縁で上からの力を支えることができるため、押圧部（１）に与えられた外力による誤開栓、あるいは不正な開栓を防止することが可能となる。
【００６３】
またＴＥバンド（４）はキャップ（１００）の円筒部（８）の下部に、容器の口栓部の凹部（９）に沿って嵌合するよう設けられて、キャップ（１００）が上下方向に緩むことなく固定することができる。これによっても更に効果的に、誤開栓、あるいは不正な開栓を防止することが可能である。
【００６４】
図７は、本発明に係る密封容器のキャップの、他の実施態様について、その開栓の状況を説明するための、部分断面模式図である。
開栓はまず、キャップ（１００）下部に設けられたＴＥバンド（４）を分離、除去する。ＴＥバンド（４）の分離、除去は、ＴＥバンド（４）とキャップ（１００）の円筒部（８）との間に設けられた、図５に示す脆弱部（５）を円周方向に破断して行なうことができる。
【００６５】
ＴＥバンド（４）、および脆弱部（５）には、図１に示した開栓つまみ（６）が設けてあり、これをきっかけにして手指を用いてＴＥバンド（４）を円周方向に引っ張って、分離、除去を行なうことができる。
【００６６】
脆弱部（５）は、キャップ（１００）の円筒部（８）の一部として、キャップ（１００）の成型時に設けられ、たとえばハーフカット等によって形成される薄肉部としたり、貫通孔を連続して設けたりすることで、形成することができる。
【００６７】
ＴＥバンド（４）の分離、除去によって、キャップ（１００）の円筒部（８）は、固定が解かれて、上下の動きが可能になる。すなわち、円筒部（８）を下に下げた状態で、さらにキャップ（１００）の押圧部（１）に対して、上方向から圧力をかけることができる。
【００６８】
このとき、ストッパーリング（１５）と押栓部（２）は、押栓部とストッパーリングの接続部（２１）で連続しているが、押圧部に（１）強く押圧を加えることで、押栓部（２）とストッパーリングとの間の、ストッパーリングの接続部（２１）を破断して、押圧部（１）に連続する押栓部（２）を、開口部（１３）に挿入して、ガラス玉（１０）を押し下げることが可能になる。
【００６９】
図中矢印（Ｄ）に示す方向に押し下げることによって、ガラス玉（１０）に押栓部（２）を介して圧力が伝播して、ガラス玉（１０）を、図中矢印（Ｅ）の方向に押し下げることができるため、密封容器（１１）のガラス玉（１０）による密封が解かれる。
【００７０】
図８は本発明に係る密封容器のキャップを、開栓後に取り除いた状態を説明するための、部分断面模式図である。
【００７１】
開栓が完了した後、キャップはすべて取り除かれ、密封容器（１１）の容器口栓部（１
２）および開口部（１３）が露出する。またガラス玉（１０）は落下して、密封容器（１１）の胴部のくびれ（１４）に達して止まる。このときガラス玉（１０）は、胴部のくびれ（１４）と容器口栓部（１２）の空間内で可動であるため、密封容器（１１）を傾けることによって、図８中の矢印（Ｆ）で示すように、流路は確保され、内容物の炭酸飲料（２０）の取出しが可能となる。
【００７２】
本発明はキャップ（１００）に関するものであり、キャップ（１００）を、密封容器（１１）の容器口栓部（１２）に嵌合させて用いるが、嵌合は、キャップ（１００）を、加圧による打栓方式で口栓部に固定する方式で行なうことができる。
【００７３】
本発明においては、キャップ（１００）が、容器の口栓部（１２）を覆う形で固定されることにより、従来容器口栓部（１２）の被覆にシュリンクフィルムを被せて、加熱していた工程が不要となる。
【００７４】
したがって、材料のコストや工程の短縮に効果があり、コストダウンに繋がる利点が生まれる。また容器口栓部（１２）の被覆によって異物やホコリなどが、容器口栓部（１２）やガラス玉（１０）に付着することを防止することができ、この点においても好都合である。
【００７５】
また、本発明においては、ＴＥバンド（４）は、ＴＥバンド（４）の脆弱部（５）を介してキャップ（１００）の円筒部（８）下部に接続している。ＴＥバンド（４）の分離、除去によって、ＴＥ性、すなわち開栓の履歴を可視化することが可能である。すなわち、誤開栓、あるいは不正開栓を防止することが可能である。
【００７６】
すなわち本発明においては、従来ＴＥ性を付与するために費やしていた別部材や別工程を省いて、キャップの一体成型で実現できるため、材料のコストや工程の短縮に効果があり、コストダウンの利点が生まれる。
【００７７】
このように本発明によれば、ガラス玉等により口栓部を密封することのできる密封容器において、開栓具を備え、かつ誤開栓、あるいは不正開栓を防止することができるＴＥ性を備えた、密封容器のキャップを提供することが可能である。
【符号の説明】
【００７８】
１・・・押圧部
２・・・押栓部
３・・・開栓具
４・・・ＴＥバンド
５・・・脆弱部
６・・・開栓つまみ
７・・・凸部
８・・・円筒部
９・・・凹部
１０・・・ガラス玉
１１・・・密封容器
１２・・・容器口栓部
１３・・・開口部
１４・・・くびれ
１５・・・ストッパーリング
１６・・・薄肉部
２０・・・内容物
２１・・・押栓具とストッパーリングの接続部
１００・・・キャップ
Ａ・・・矢印
Ｂ・・・矢印
Ｃ・・・矢印
Ｄ・・・矢印
Ｅ・・・矢印
Ｆ・・・矢印
【図１】
2018070256.tif 000003
【図２】
2018070256.tif 000004
【図３】
2018070256.tif 000005
【図４】
2018070256.tif 000006
【図５】
2018070256.tif 000007
【図６】
2018070256.tif 000008
【図７】
2018070256.tif 000009
【図８】
2018070256.tif 000010